(57)【要約】【課題】リレー装置の通電性能を良好な状態に維持することができる。【解決手段】制御部１３４は、オンオフ制御により充電リレー装置１４０をオン動作させてリレー接点１４１，１４２間を接続状態とするとともに、給電リレー装置１７０をオン動作させて、リレー接点１７１，１７２間を接続状態とする。蓄電装置１１０から供給される電流は、給電ラインＬ２を介して、再び充電ラインＬ１に戻されて蓄電装置１１０に還流される。通電路は、充電リレー装置１４０、給電リレー装置１７０を含み、ループ状に形成されている。このため、充電リレー装置１４０のリレー接点１４１，１４２間と給電リレー装置１７０のリレー接点１７１，１７２間には、酸化被膜を除去するための電流が通電される。【選択図】図１
2015119529.tif 000002
【特許請求の範囲】
【請求項１】
車載された蓄電装置と、
車両外部との間で電力を授受するための電力ノードと、
前記電力ノードから前記蓄電装置まで電力を供給するための充電ラインと、
前記充電ラインに介挿されて、オンオフ制御により接点間の接続、非接続状態を切換える充電リレー装置と、
前記蓄電装置から前記電力ノードまで電力を供給するため、前記充電ラインに対して電気的に並列接続された給電ラインと、
前記給電ラインに介挿されて、オンオフ制御により接点間の接続、非接続状態を切換える給電リレー装置と、
前記充電リレー装置、前記充電ライン、前記給電リレー装置および前記給電ラインの通電状態を制御するための制御部とを備え、
前記制御部は、前記蓄電装置、前記充電ラインおよび前記給電ラインによって、前記充電リレー装置および給電リレー装置を含むループ状の通電路が形成されるように、前記充電リレー装置および前記給電リレー装置をオン動作させて接続状態とする制御を実行する、電動車両。
【発明の詳細な説明】
【技術分野】
【０００１】
この発明は、電動車両に関し、特に車載電源と車両外部の負荷との間で電力を充給電可能な充放電回路を備えた電動車両に関する。
【背景技術】
【０００２】
電動機によって車両駆動力を発生可能に構成された、電気自動車、ハイブリッド自動車および燃料電池自動車等の電動車両が知られている。このような電動車両には、当該電動機を駆動するための電力を蓄積する蓄電装置が搭載されている。
【０００３】
このような車両は、発進時や加速時などに蓄電装置から電動機に電力を供給して車両駆動力を発生させることができる。一方で、停車中は商用系統電源などの車両外部の電源（以下、単に「外部電源」とも称する）と充電器とを電気的に接続して、蓄電装置に充電を行なうことを可能とする充放電回路が設けられた、いわゆるプラグインタイプの電動車両が知られている。
【０００４】
特開２０１３−１６９０９７号公報（特許文献１）には、単一の充放電用接続口（以下、単に「インレット」とも称する）を設けた電動車両が記載されている。この電動車両には、蓄電装置とインレットとの間に、オンオフ制御によりリレー接点間の接続、非接続状態を切換えるリレー装置が設けられている。そして、当該リレー装置のリレー接点間が接続されて通電可能となると、当該インレットに接続された接続ケーブルを介して、車両外部の外部負荷に蓄電装置から電力を供給することができる。
【先行技術文献】
【特許文献】
【０００５】
【特許文献１】特開２０１３−１６９０９７号公報
【特許文献２】特開２０００−０９０７９６号公報
【発明の概要】
【発明が解決しようとする課題】
【０００６】
リレー装置を充放電回路に設けた電動車両では、外部負荷または外部電源との充給電が終了するとリレー接点が開放される。リレー接点が開放されたままで長い期間が経過すると、当該リレー接点は酸化皮膜に覆われてしまう。
【０００７】
このため、ユーザによる充給電の頻度によっては、開放されたままのリレー接点が酸化の進行によって開放状態（オフ状態）で固着する、いわゆるオフ固着を発生させてしまうおそれがあった。
【０００８】
本発明は、上述の課題を解決するためになされたものであって、その目的は、リレー装置を確実に断接させて通電性能を良好な状態に維持することができる電動車両を提供することである。
【課題を解決するための手段】
【０００９】
本発明による電動車両は、車載された蓄電装置と、車両外部との間で電力を授受するための電力ノードと、電力ノードから蓄電装置まで電力を供給するための充電ラインと、充電ラインに介挿されて、オンオフ制御により接点間の接続、非接続状態を切換える充電リレー装置とを備える。電動車両は、蓄電装置から電力ノードまで電力を供給するため、充電ラインに対して電気的に並列接続された給電ラインと、給電ラインに介挿されて、オンオフ制御により接点間の接続、非接続状態を切換える給電リレー装置と、充電リレー装置、充電ライン、給電リレー装置および給電ラインの通電状態を制御するための制御部とを備える。制御部は、蓄電装置、充電ラインおよび給電ラインによって、充電リレー装置および給電リレー装置を含むループ状の通電路が形成されるように、充電リレー装置および給電リレー装置をオン動作させて接続状態とする制御を実行する。
【００１０】
本発明によれば、制御部は、オンオフ制御でリレー接点間を接続させることにより、充電リレー装置と給電リレー装置とを含むループ状の通電路を、充電ラインと給電ラインとを用いて形成することができる。これにより、充電リレー装置および／または給電リレー装置のリレー接点の表面に形成された酸化皮膜を、通電された電流のエネルギによって除去することができる。したがって、長い期間、電力ノードを介して車両外部との間で電力の充給電が行なわれていなくても、接点のオフ固着が防止されてリレー装置の通電性能を良好な状態に維持することができる。
【発明の効果】
【００１１】
本発明によれば、リレー装置を確実に断接させて通電性能を良好な状態に維持することができる電動車両が提供される。
【図面の簡単な説明】
【００１２】
【図１】実施の形態の電動車両の充放電回路の概略的な構成図である。
【図２】実施の形態の変形例でプラグイン充電に用いる接続ケーブルのコネクタがインレットに接続された状態を示す電動車両の充放電回路の概略的な構成図である。
【発明を実施するための形態】
【００１３】
以下において、本発明の実施の形態について図面を参照しながら詳細に説明する。なお、図中同一または相当部分には同一符号を付してその説明は繰返さない。
【００１４】
図１は、本発明の実施の形態に従う充放電回路を含む給電システムの概略的な構成図である。
【００１５】
図１を参照して、給電システムは、車両１００と、外部負荷９００とを含む。車両１００は、接続ケーブル６００の装着によって、車両外部の外部負荷９００である電気機器９１０と電気的に接続されるように構成される。すなわち、接続ケーブル６００を経由して、車両１００と車両外部（外部負荷９００）との間で電力が伝達可能となる。
【００１６】
車両１００は、車載された蓄電装置１１０からの電力によって走行可能な「電動車両」である。車両１００には、たとえばハイブリッド自動車、電気自動車および燃料電池自動車などが含まれる。以下では、車両１００として、ハイリッド自動車、特に、外部電源または外部負荷によって蓄電装置１１０が充給電可能な、いわゆる、プラグインタイプのハイブリッド自動車を例示する。外部電源は、代表的には、商用系統電源５００によって構成される。
【００１７】
車両１００は、モータジェネレータ（ＭＧ）１０２などの駆動負荷を含む動力出力装置１０４と、車載された蓄電装置１１０と、制御装置であるＥＣＵ（Electronic  Control  Unit）３００とを含む。蓄電装置１１０は、再充電可能に構成された電力貯蔵要素であり、ここでは、リチウムイオン電池によって構成されている。蓄電装置１１０は、リチウムイオン電池の他にたとえば、ニッケル水素電池または鉛蓄電池などの二次電池、あるいは電気二重層キャパシタなどの蓄電素子を含む。
【００１８】
動力出力装置１０４は、ＥＣＵ３００からの駆動指令に基づいて車両１００の駆動力を発生する。動力出力装置１０４が発生した駆動力は、車両１００の駆動輪（図示せず）へ伝達される。なお、駆動指令は、車両１００の走行中において、要求された車両駆動力あるいは車両制動力に基づいて生成される制御指令である。
【００１９】
ハイブリッド自動車では、動力出力装置１０４は、エンジンおよびモータジェネレータ１０２を含む。たとえば、動力出力装置１０４は、エンジンおよびモータジェネレータ１０２の出力の一方または両方を駆動輪に対して出力するように構成される。動力出力装置１０４は、蓄電装置１１０の出力電力をモータジェネレータ１０２の出力トルクを制御するための電力に変換する電力変換器（図示せず）を有するように構成される。
【００２０】
さらに、ハイブリッド自動車では、動力出力装置１０４は、エンジンの出力によって蓄電装置１１０の充電電力を発生するための、図示しない発電機および電力変換器（インバータ）を有するように構成されていてもよい。これらの発電機および電力変換器は、蓄電装置１１０と共に、または個別に電力源となり得る。
【００２１】
ＥＣＵ３００は、ＣＰＵ（Central  Processing  Unit）、記憶装置および入出力バッファを含み、各センサ等からの信号の入力や各機器への制御信号の出力を行なうとともに、蓄電装置１１０および車両１００の各機器の制御を行なう。これらの制御については、ソフトウェアによる処理に限られず、専用のハードウェア（電子回路）で処理することも可能である。
【００２２】
車両１００は、車両外部との間で電力を授受可能に構成される。車両１００は、車両外部との間で電力を授受する動作モードとして、外部電源によって車載の蓄電装置１１０を充電する動作モード（以下、「充電モード」と称する）と、車載の蓄電装置１１０の電力を交流電力に変換して車両外部へ出力する給電モードとを有する。
【００２３】
これにより、車両１００の蓄電装置１１０を外部電源からの電力によって外部充電するだけでなく、車両１００の電力源からの電力を、両外部の外部負荷９００に対して供給することができる。すなわち、家庭用の電力源となり得るだけでなく、スマートグリッドなどに見られるように、車両１００を電力供給源とした給電システムを構成することが可能となる。
【００２４】
車両１００は、充電モードおよび給電モードを実現するための構成として、インレット１２０、および充電ラインＬ１、給電ラインＬ２を含む。
【００２５】
インレット１２０は、車両外部との間で電力を授受するための「電力ノード」に対応する。インレット１２０は、接続ケーブル６００のコネクタ６１０を装脱着可能として、充放電共通の単一充放電口として機能する。
【００２６】
また、充電ラインＬ１のうち、インレット１２０と蓄電装置１１０との間には、充電器２００、充電リレー装置１４０が介在されて接続されている。
【００２７】
充電器２００には、ＡＣ／ＤＣ変換器１３０と、制御部１３４とが設けられている。また、充電器２００の制御部１３４は、ＥＣＵ３００との間で双方向に通信を行なうことが出来る。
【００２８】
ＥＣＵ３００からの変換指令を受信すると制御部１３４は、ＡＣ／ＤＣ変換器１３０に制御信号を出力する。ＡＣ／ＤＣ変換器１３０は、制御部１３４からの制御信号を受けて、インレット１２０から入力した交流電力を所望の大きさの直流電力に変換する。
【００２９】
充電リレー装置１４０は、制御部１３４からの指令に従ってオンオフ制御される。具体的には、リレー接点１４１，１４１と、これらのリレー接点１４１，１４１にそれぞれ対応するリレー接点１４２，１４２との間を接触または非接触とするオン動作またはオフ動作によって、接続状態または切断状態とされる。
【００３０】
そして、充電リレー装置１４０は、オン動作によりＡＣ／ＤＣ変換器１３０を蓄電装置１１０に接続状態（以下、オン状態とも称す）とする。これにより蓄電装置１１０は、ＡＣ／ＤＣ変換器１３０からの直流電力を蓄えることができる。
【００３１】
この実施の形態の車両１００には、バッテリパックＢＰが設けられている。バッテリパックＢＰには、充電リレー装置１４０、蓄電装置１１０、システムメインリレー（System  Main  Relay、以下、「ＳＭＲ」とも称す）１５０が含まれる。バッテリパックＢＰのＳＭＲ１５０は、ＥＣＵ３００からの制御指令でオンオフ制御される。
【００３２】
ＳＭＲ１５０は、オン動作により、蓄電装置１１０とモータジェネレータ１０２などの動力出力装置１０４とを電気的に接続して電力を供給することができる。また、ＳＭＲ１５０は、オフ動作により、蓄電装置１１０とモータジェネレータ１０２との間の電気的な接続を遮断（以下、オフ状態とも称す）することができる。
【００３３】
一方、給電ラインＬ２は、充電ラインＬ１に対して電気的に並列接続されている。給電ラインＬ２の蓄電装置１１０とインレット１２０との間には、ＳＭＲ１５０と、ＤＣ／ＡＣ変換器１６０と、給電リレー装置１７０とが接続されている。そして、給電リレー装置１７０は、制御部１３４からの供給指令でオンオフ制御される。
【００３４】
制御部１３４は、オンオフ制御により給電リレー装置１７０のリレー接点１７１，１７１と、これらのリレー接点１７１，１７１にそれぞれ対応するリレー接点１７２，１７２との間を接続または非接続状態とすることができる。これにより、車両１００は、蓄電装置１１０からの電力を、給電ラインＬ２を用いてインレット１２０および充電ラインＬ１に供給したり、または供給を停止させることができる。
【００３５】
インレット１２０に接続されたコネクタ６１０からプラグコード６２０を介して電力が出力される。外部負荷９００では、プラグコード６２０からの電力の供給を受けて電気機器９１０などが動作可能となる。
【００３６】
このように、制御部１３４は、充電リレー装置１４０または給電リレー装置１７０のオンオフ制御を同時にまたは個別に行ない、リレー接点１４１，１４２間またはリレー接点１７１，１７２間で接続または、非接続状態とすることにより充電ラインＬ１、給電ラインＬ２の通電状態を変更可能としている。
【００３７】
しかしながら、車両外部との電力の授受が長期間行なわれない場合には、開放されたまま放置されたリレー接点１４１，１４２の表面またはリレー接点１７１，１７２の表面には、酸化皮膜が生じる。そして、この酸化被膜によってリレー接点１４１，１４２またはリレー接点１７１，１７２（以下、リレー接点１４１など、とも称す）の表面で、接触により電流を通電する部分が覆われてしまうことがある。
【００３８】
このように、ユーザによる使用頻度が少ない場合、リレー接点１４１などの表面の酸化が進行することにより、リレー接点１４１などがオフ状態で固着する、いわゆるオフ固着を発生させてしまう可能性がある。
【００３９】
このようなオフ固着したリレー接点１４１などは、オン動作しようとしてもリレー接点１４１など同士が接続される位置まで近接方向へ移動できず、オン状態として電流を導通させることができない。このため、車両外部との間で電力の受給電が行えなくなるといった問題があった。
【００４０】
そこで、この実施の形態では、制御部１３４は、一定期間、給電リレー装置１７０または、充電ラインＬ１に通電が行なわれない場合に、充電リレー装置１４０に対するオンオフ制御をオン状態とするとともに、給電リレー装置１７０に対するオンオフ制御をオン状態とする。この実施の形態では、制御部１３４は、オンオフ制御によって、充電リレー装置１４０をオン状態へ切換えるとともに、給電リレー装置１７０をオン状態へ切換える。さらにこれとともに、ＥＣＵ３００は、制御指令によりバッテリパックＢＰのＳＭＲ１５０をオンオフ制御でオン状態へ切換える。
【００４１】
これにより、充電ラインＬ１に含まれる充電リレー装置１４０のリレー接点１４１，１４２間はそれぞれ接続されるとともに、給電ラインＬ２のリレー接点１７１，１７２間はそれぞれ接続される。また、給電ラインＬ２に含まれるＳＭＲ１５０は、ＥＣＵ３００のオンオフ制御でオン状態（接続状態）へ切換えられる。
【００４２】
したがって、充電リレー装置１４０のリレー接点１４１，１４２間と、給電リレー装置１７０のリレー接点１７１，１７２間とに通電される電流を、これらの充電リレー装置１４０および給電リレー装置１７０を含む充電ラインＬ１と給電ラインＬ２とをループ状とした通電路を用いて還流させることができる。
【００４３】
この実施の形態では、蓄電装置１１０から供給される電流が給電ラインＬ２のＤＣ／ＡＣ変換器１６０、給電リレー装置１７０を介して、充電ラインＬ１に戻される。蓄電装置１１０から供給される電流は、充電ラインＬ１の充電リレー装置１４０がオン状態であるため、インレット１２０から車外に出力されることはない。そして、充電ラインＬ１に戻された電流は、充電ラインＬ１の充電器２００のＡＣ／ＤＣ変換器１３０、充電リレー装置１４０から再び蓄電装置１１０に還流される。
【００４４】
この充電ラインＬ１と給電ラインＬ２とにより構成されたループ状の通電路には、給電リレー装置１７０および充電リレー装置１４０が含まれている。このため、蓄電装置１１０から電流が供給されると、充電リレー装置１４０および給電リレー装置１７０の各リレー接点１４１などに還流されている電流が通電される。各リレー接点１４１などの表面を覆う酸化皮膜は、この通電の電流のエネルギによって飛ばされて除去される。
【００４５】
蓄電装置１１０は、酸化皮膜の除去作業を行なう際、車両１００内部でループ状とされた通電路に対して、例えば１０Ａ程度の大きさの電流を通電する。この実施の形態では、ループ状に構成された通電路に通電される電流の大きさを一定電流（例えば約１０Ａ）としている。しかしながら特にこれに限らず、所定周期で電流値を変動させるものなど、ループ経路の通電される電流の大きさ、波形や周期、増減率等は特に限定されるものではない。
【００４６】
特に、給電ラインＬ２側の給電リレー装置１７０のリレー接点１７１は、充電ラインＬ１の充電リレー装置１４０に比べて車両外部への電力の供給が長期間行なわれず、開放状態で放置されたままとなってしまう可能性が高い。
【００４７】
このような比較的ユーザによる使用頻度が少ない給電リレー装置１７０のリレー接点１７１が存在しても、表面の酸化皮膜を定期的な通電で除去することにより、オフ固着が生じるおそれを減少させることができる。しかも、通電に用いる電流を車両１００内部で還流させる。このため、インレット１２０にコネクタ６１０が接続されていない状態でも、リレー接点１４１などの表面を覆う酸化皮膜を除去して、確実な断接を行なわせることができる。
【００４８】
さらに、この実施の形態の車両１００は、所定間隔で蓄電装置１１０の電流をループ状に通電して、酸化皮膜がオフ固着となる前に除去することができる。例えば、少なくともいずれか一方のリレー接点１４１などの表面に酸化被膜が生じて覆われていても、リレー接点１４１などにループ状の通電路を通じて定期的な通電を行なうことができる。この定期的な通電のたびにリレー接点１４１などの表面の酸化被膜は除去されて、いずれか一方の充電リレー装置１４０または、給電リレー装置１７０の接点の表面のみで酸化が進行することもない。
【００４９】
よって、充電または給電を行なう際、充電リレー装置１４０または給電リレー装置１７０は、オフ固着が発生していないリレー接点１４１，１４２間またはリレー接点１７１，１７２間を確実に接続させて、所望の通電性能を発揮させることができる。
【００５０】
また、充給電に用いる充電リレー装置１４０とともに給電リレー装置１７０を制御部１３４によってオンオフ制御して接続状態とするだけで、充電リレー装置１４０および給電リレー装置１７０を含むループ状の通電路を車両１００の内部に形成することができる。このため、既存の部品で構成でき、別途リレー装置などの電子部品を増設する必要がないため、部品点数の増大を抑制できる。さらに別経路で電流を還流させる回路を設ける必要もない。
【００５１】
さらに、酸化皮膜の除去作業では、車両１００に搭載された蓄電装置１１０の電力を用いるため、図１に示すような外部負荷９００または商用系統電源５００が不要となる。また、外部負荷９００または商用系統電源５００をインレット１２０に接続しなくても、閉ループ回路が車両１００の内部に形成される。このため、酸化皮膜の除去作業を行なう際には、コネクタ６１０およびプラグコード６２０が不要となる。
【００５２】
そして、制御部１３４からの指令に従って、充電リレー装置１４０とともに給電リレー装置１７０がオフ制御される。充電リレー装置１４０および給電リレー装置１７０は、オフ動作によりリレー接点１４１，１４２間およびリレー接点１７１，１７２間の通電を遮断する。これにより、制御部１３４は、酸化被膜を除去する制御を終了させる。
【００５３】
ユーザは、上述した作業開始時にインレット１２０にコネクタ６１０を装着する必要がない。また、ユーザは、作業終了時においても、インレット１２０にコネクタ６１０が装着されていないため、コネクタ６１０を外す必要がない。このため、酸化被膜を除去する作業中、車外での作業量を減少させて、ユーザの使用利便性を向上させることができる。
【００５４】
[変形例]
上述した実施の形態では、インレット１２０に接続ケーブル６００のコネクタ６１０を接続せずに、蓄電装置１１０から供給される電流を還流させる経路のみが形成されているものについて説明した。
【００５５】
変形例では、図２に示すように、充電モードで接続ケーブル６００のコネクタ６１０がインレット１２０に接続された状態で、給電リレー装置１７０のリレー接点１７１，１７２間を接続するものについて説明する。
【００５６】
この変形例では、図２に示すように、接続ケーブル６００のコネクタ６１０をインレット１２０に接続した状態で、実施の形態と同様に制御部１３４のオンオフ制御によって、充電リレー装置１４０がオン状態へ切換えられるとともに、給電リレー装置１７０がオン状態へ切換えられて、リレー接点１４１などの表面の酸化被膜の除去が実行される。
【００５７】
すなわち、充電ラインＬ１に接続される蓄電装置１１０にインレット１２０から供給される外部電力を供給して充電が行なわれる（以下、プラグイン充電と称す）。
【００５８】
プラグイン充電中、充電ラインＬ１に含まれる充電リレー装置１４０のリレー接点１４１，１４２間がそれぞれ接続される。
【００５９】
外部電力は、蓄電装置１１０に充電される際に、充電リレー装置１４０のリレー接点１４１，１４２間に通電される。この通電により、リレー接点１４１などの表面に生じた酸化皮膜を除去することができる。
【００６０】
さらに、本変形例では、給電ラインＬ２に含まれる給電リレー装置１７０のリレー接点１７１，１７２間がそれぞれ接続される。
【００６１】
また、外部負荷９００に供給される電流は、給電リレー装置１７０のリレー接点１７１，１７２間に通電される。この通電により、リレー接点１７１，１７２の表面に生じた酸化皮膜を除去することができる。
【００６２】
具体的には、制御部１３４のオンオフ制御によりプラグイン充電中で接続されている充電リレー装置１４０を含む充電ラインＬ１と、給電ラインＬ２とがループ状の通電路を形成するように、ＥＣＵ３００によってリレー接点１７１，１７２間が接続される。
【００６３】
そして、充電リレー装置１４０から蓄電装置１１０を介して供給される直流電流をＤＣ／ＡＣ変換器１６０で交流電力に変換して、インレット１２０を介して車両外部に出力する際に、給電リレー装置１７０への通電によりリレー接点１７１，１７２の表面に生じた酸化膜が除去される。
【００６４】
この変形例では、車両１００が停車中で、インレット１２０に車外から接続ケーブル６００のコネクタ６１０が接続されると共に、さらに、接続ケーブル６００のプラグコード６２０を介して外部負荷９００が接続された状態で、外部負荷９００としての電気機器９１０が使用される。電気機器９１０の使用により、給電ラインＬ２には、給電リレー装置１７０のリレー接点１７１，１７２の表面に生じている酸化皮膜を除去する通電が行なわれる。
【００６５】
また、ユーザが電気機器９１０を使用するか否かは未定であっても、充電に用いる電力を既存の充電ラインＬ１と給電ラインＬ２とにループ状として通電させることができる。これにより、この充給電回路では、充電リレー装置１４０のリレー接点１４１，１４２の酸化皮膜の除去とともに給電ラインＬ２の給電リレー装置１７０のリレー接点１７１，１７２の表面に生じた酸化皮膜を除去することもできる。
【００６６】
本実施の形態の車両１００は、内部に設けられた蓄電装置１１０の電力を通電するため、既存の充電ラインＬ１と給電ラインＬ２とを接続してループ状の通電路を形成している。これに対して、この変形例では、外部の商用系統電源５００の電力の供給を受けながら、充電リレー装置１４０とともに給電ラインＬ２の給電リレー装置１７０に通電される電流を蓄電装置１１０からループ状の通電路に通電させて、酸化被膜を除去する作業を行なうことができる。
【００６７】
したがって、この変形例の充放電回路は、蓄電装置１１０の残存容量の減少によって放電が充分に行なえない場合などであっても、蓄電装置１１０の状態に拘わらず、酸化被膜を除去する作業を行なうことができる。
【００６８】
最後に、本発明の実施の形態の車両１００について総括する。図１を参照して、車両１００は、車載された蓄電装置１１０と、車両外部との間で電力を授受するためのインレット１２０と、インレット１２０から蓄電装置１１０まで電力を供給するための充電ラインＬ１と、充電ラインＬ１に含まれて、オンオフ制御によりリレー接点１４１，１４２間の接続、非接続状態を切換える充電リレー装置１４０とを備える。また、車両１００は、蓄電装置１１０からインレット１２０まで電力を供給するため、充電ラインＬ１に対して電気的に並列接続された給電ラインＬ２と、給電ラインＬ２に介挿されて、オンオフ制御により接点１７１，１７２間の接続、非接続状態を切換える給電リレー装置１７０と、充電リレー装置１４０、充電ラインＬ１、給電リレー装置１７０および給電ラインＬ２の通電状態を制御するための制御部１３４とを備える。制御部１３４は、蓄電装置１１０、充電ラインＬ１および給電ラインＬ２によって、充電リレー装置１４０および給電リレー装置１７０を含むループ状の通電路が形成されるように、充電リレー装置１４０および給電リレー装置１７０をオン動作させて接続状態とする制御を実行する。
【００６９】
このため、充電リレー装置１４０のリレー接点１４１，１４２または、給電リレー装置１７０のリレー接点１７１，１７２に生じている酸化被膜を、リレー接点１４１などに通電された電流のエネルギにより除去することができる。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７１】
１００  車両、１０２  モータジェネレータ、１０４  動力出力装置、１１０  蓄電装置、１２０  インレット、１３４  制御部、１３０  ＡＣ／ＤＣ変換器、１４０  充電リレー装置、１４１，１４２，１７１，１７２  リレー接点、１６０  ＤＣ／ＡＣ変換器、１７０  給電リレー装置、２００  充電器、３００  ＥＣＵ、５００  商用系統電源、６００  接続ケーブル、６１０  コネクタ、６２０  プラグコード、９００  外部負荷、９１０  電気機器、ＢＰ  バッテリパック、Ｌ１  充電ライン、Ｌ２  給電ライン。
【図１】
2015119529.tif 000003
【図２】
2015119529.tif 000004